(57)【要約】【課題】シャワー散水板に設けた筒状部の内側にスプールを備え、その筒状部の内周面とスプールの外周面とがネジ対偶をなし、散水板と一体をなす散水体を回転してスプールを進退させて、スプール内に供給された水を散水板か、その中央に設けた外部開口から散水する散水用ノズルで、ノズルの長寸化を解消する。【解決手段】本体２に対して散水体２１を回転させることで、スプール４１をその回転軸方向に螺進、螺退させるのに必要なスプール進退用回転防止手段を、回転軸方向から見てスプール４１の後端寄り部位の大径筒部４１ｂの内周面を非円形に形成し、本体２に連なりスプール４１内に水を供給する管部８を、前記非円形に対応する形状とし、同内周面内にスライド自在に内嵌した。スプール進退用回転防止手段が大径筒部４１ｂの内周面内にあるため、全長を短くできる。【選択図】　　　　図１
2004081974.tif 000002
【特許請求の範囲】
【請求項１】
本体に、シャワー散水板を有する散水体を回転自在に取付けるとともに、該散水体は、その回転軸を軸線として後端側に向って延びる筒状部を備えており、該筒状部は、前記シャワー散水板の外部に開口する外部開口を有すると共に、該筒状部の内側には、先端が閉塞されて筒状をなすスプールを備えており、該スプールを該筒状部内において前記回転軸方向に前進又は後退させることによって、該スプール内に供給された水が前記シャワー散水板から外部に散水される第１流路と、前記シャワー散水板の前記外部開口から外部に散水される第２流路とが切替えられる散水流路切替え機構を有する散水用ノズルであって、
前記筒状部の内周面と、前記スプールの外周面とがネジ対偶をなしており、
前記本体に対して前記散水体を回転させることによって前記スプールをその回転軸方向に前進又は後退させるように、前記本体に対する該スプールの回転を防止するスプール進退用回転防止手段を備えてなるものにおいて、
該スプールの後端寄り部位の内周面を、前記回転軸方向から見て、該回転軸と同心の円をなさない内周面形状に形成する一方、前記本体には、前記スプール内に水を供給する管部を先端側に向って突出状に設けると共に、該管部の外周面に、前記回転軸方向から見て、前記スプールの後端寄り部位の内周面形状に合わせた外周面形状を形成し、該管部に対し、前記スプールの後端寄り部位を前記回転軸方向にスライド自在に外嵌することによって、前記スプール進退用回転防止手段としたことを特徴とする散水用ノズル。
【請求項２】
前記スプール進退用回転防止手段をなす、前記スプールの後端寄り部位の内周面を、前記回転軸方向から見て、該回転軸と同心の円に対して一部を割円状に切り欠いた内周面形状に形成したことを特徴とする請求項１に記載の散水用ノズル。
【請求項３】
前記スプールの後端寄り部位を、その先端寄り部位より大径の大径筒部としたことを特徴とする請求項１又は２に記載の散水用ノズル。
【請求項４】
前記スプール進退用回転防止手段をなす、前記スプールの後端寄り部位の内周面と、該管部の外周面との間のスライド部にリング状水密パッキンが介在させられていることを特徴とする請求項１、２又は３のいずれかに記載の散水用ノズル。
【発明の詳細な説明】
【０００１】
【発明の属する技術分野】
本発明は、散水用ノズルに関し、詳しくは、シャワー状の散水やストレート状の散水などに、放出される水の散水の形態を切替えるための散水流路切替え機構を有する散水用ノズルに関する。
【０００２】
【従来の技術】
このような散水用ノズルの１例として、特開２００１−９６１９８号公報記載のものがある。このものは、ノズル本体と散水体とを相対回転させることで、ノズル本体内のスプール（スピンドル）をその回転軸方向（以下、単に軸方向ともいう）に移動する構成としたものである。すなわち、その両本体が軸方向に相対的に移動することなく、水路の開閉機構（散水流路切替え機構）を開閉するようにしたものであり、次のように構成されている。
【０００３】
本体の先端には、シャワー散水板（シャワー板）を有する散水体（ヘッド本体）が回転自在に取付けられている。この散水体は、その回転軸を軸線として後端側に向って延びる筒状部（大径筒部及び小径筒部）を備えており、散水体の内側にはガイド筒が設けられており、その先端がシャワー散水板の中央において外部に開口する外部開口（噴出口）に連なっている。筒状部の内側には、先端が閉塞されて筒状をなすスプールを備えている。筒状部の内側面には雌ネジが形成されており、このスプールの外周面に形成された雄ネジと噛合わされている。こうして、散水体を回転することで、ネジ作用により筒状部内においてスプールを軸方向に前進又は後退させるように構成されている。そして、スプール内に供給された水を、スプールの開口（通孔）を通ってガイド筒の周面開口（連通孔）から外側に出してシャワー散水板から外部に散水させるか、シャワー散水板の外部開口から外部に散水させるかの、散水流路切替え機構を備えている。
【０００４】
このような散水用ノズルでは、本体に対して散水体を回転させることによってスプールをその回転軸方向に前進又は後退させるため、スプールの回転を防止するスプール進退用回転防止手段を設ける必要がある。そこで、このものでは、スプールの後端を本体側に突出させると共に、その突出させた突出端にはスプラインキーを設けており、本体の後端寄りの内周面に形成されたスプライン溝に、このスプラインキーを噛合わせている。しかして、散水体を回転させることによってスプールを回転させることなく、軸方向に移動可能にしている。そして、このものによれば、内部のスプールのみを本体に対して軸線方向に相対的に移動することで、散水時の水形を切替える構造のものであるため、散水流路切替えによって散水体が本体から突出して散水用ノズルの全長を伸す構造のものでない。したがって、そのような構造のものにおいて、散水体が本体から突出する場合における強度不足等の問題は解消される。
【０００５】
【発明が解決しようとする課題】
ところが、このような散水用ノズルでは、スプールを前進又は後退させるため、スプールの回転を防止するスプール進退用回転防止手段を設ける必要がある。そして、このものでは、そのスプール進退用回転防止手段として、スプールの後端、及びその後端より後方の本体内に直列的にスプライン構造を設けていた。したがって、このような散水用ノズルでは、スプール自体がその後方にスプラインキーを設ける分、長くなる上に、本体についても、その後方のスプライン溝を形成する分、その長さが長くなるといった問題があった。すなわち、上記公報に記載の散水用ノズルは、強度不足等の問題は解消されるが、散水用ノズルのスプールの進退方向に沿う長が大きくなるため、その小型化（短寸化）が図れないといった問題があり、さらにはコストの低減化を阻害していた。
【０００６】
本発明は、上記公報記載の散水用ノズルにおける問題を解消し、その全長の短寸化が図られる散水用ノズルを提供することをその目的とする。
【０００７】
【課題を解決するための手段】
上記の目的を達成するための請求項１記載の発明は、本体に、シャワー散水板を有する散水体を回転自在に取付けるとともに、該散水体は、その回転軸を軸線として後端側に向って延びる筒状部を備えており、該筒状部は、前記シャワー散水板の外部に開口する外部開口を有すると共に、該筒状部の内側には、先端が閉塞されて筒状をなすスプールを備えており、該スプールを該筒状部内において前記回転軸方向に前進又は後退させることによって、該スプール内に供給された水が前記シャワー散水板から外部に散水される第１流路と、前記シャワー散水板の前記外部開口から外部に散水される第２流路とが切替えられる散水流路切替え機構を有する散水用ノズルであって、
前記筒状部の内周面と、前記スプールの外周面とがネジ対偶をなしており、
前記本体に対して前記散水体を回転させることによって前記スプールをその回転軸方向に前進又は後退させるように、前記本体に対する該スプールの回転を防止するスプール進退用回転防止手段を備えてなるものにおいて、
該スプールの後端寄り部位の内周面を、前記回転軸方向から見て、該回転軸と同心の円をなさない内周面形状に形成する一方、前記本体には、前記スプール内に水を供給する管部を先端側に向って突出状に設けると共に、該管部の外周面に、前記回転軸方向から見て、前記スプールの後端寄り部位の内周面形状に合わせた外周面形状を形成し、該管部に対し、前記スプールの後端寄り部位を前記回転軸方向にスライド自在に外嵌することによって、前記スプール進退用回転防止手段としたことを特徴とする。なお、本明細書で、先端というときは、散水用ノズルにおいて水が散水される向きの前端をいい、後端というときはその逆の端をいう。
【０００８】
スプール進退用回転防止手段は、従来の散水用ノズルでは、該スプールの後端にスプラインキーを設け、本体についてもその後方にスプライン溝を形成し、両者を噛合わせたスプライン機構のため、その機構の分、散水用ノズルの全長が回転軸方向に長くなるといった問題があった。これに対して、本発明においては、スプール進退用回転防止手段を、該スプールの後端寄り部位の内周面に設けたため、散水用ノズルの回転軸方向における長さを従来のものより短くできる。このため、散水用ノズルの回転軸方向の長さの短寸化（小形化）が図られる。なお、スプール内に水を供給する管部は、前記本体と一体で設けてもよいし、前記本体に、ねじ込み方式、圧入或いは嵌合、又はこれら（ねじ込み等）と接着剤による接着を併用し、別部品として組付けることで、先端側に向って突出状に設けることとしてもよい。
【０００９】
請求項２に記載の発明は、前記スプール進退用回転防止手段をなす、前記スプールの後端寄り部位の内周面を、前記回転軸方向から見て、該回転軸と同心の円に対して一部を割円状に切り欠いた内周面形状に形成したことを特徴とする請求項１に記載の散水用ノズルである。
【００１０】
前記スプールの後端寄り部位の内周面を、このように形成することで、単純な形状でありながら、本発明をなすスプール進退用回転防止手段を具体化できる。
【００１１】
請求項３に記載の発明は、前記スプールの後端寄り部位を、その先端寄り部位より大径の大径筒部としたことを特徴とする請求項１又は２に記載の散水用ノズルである。
【００１２】
このようにすることで、この大径筒部の内周面に、前記スプール進退用回転防止手段をなす、前記スプールの後端寄り部位の内周面を形成できる。このため、ここに内嵌される前記管部を大径とすることができるため、該管部内を通して行う前記スプール内への水の供給を容易にすることができる。
【００１３】
請求項４に記載の発明は、前記スプール進退用回転防止手段をなす、前記スプールの後端寄り部位の内周面と、該管部の外周面との間のスライド部にリング状水密パッキンが介在させられていることを特徴とする請求項１、２又は３のいずれかに記載の散水用ノズルである。
【００１４】
この構成とすることで、このスライド部で、水密が保持できるため、構造の単純化が図られる。すなわち、前記スプールの後端寄り部位の内周面と、該管部の外周面との間のスライド部には、供給された水が侵入する。したがって、いずれかの部位で、その侵入した水の防水処理をしないといけないが、このようにすればその水密が容易に保持できる。
【００１５】
本発明に係る散水用ノズルの実施の形態について、図１〜図４を参照して詳細に説明する。図中、１は、散水用ノズルであり、本体２に、シャワー散水板（以下、散水板ともいう）２０を有する散水体２１を回転自在に取付けてなるものであり、次のように構成されている。ただし、基本的に、各構成部品はプラスチック成形品である。本体２は、本形態では、大径の平行円筒部３ａとその一端（図右端）側から先すぼまり状テーパーをなすテーパー筒部３ｂとからなる外筒部３を備えている。そしてその外筒部３と、テーパー筒部３ｂの小径端部（図示右端）からその外筒部３の内側に、散水体２１の回転軸（線）Ｇと同心状に折り返し状に設けられて、後述する把持部接続用の接続筒部５を備えている。そして、その接続筒部５の内周面にはネジ５ａが形成され、先端には、内周面側に一定の幅で突出する円形フランジ６が設けられており、そのフランジ６の内周端縁から、先端側に向って管部８が本体２と一体で突出状に延びている。この管部８は、後述するが、接続筒部５の内周面のネジ５ａにねじ込み方式により内挿状に接続される、把持部を介して水が供給されるところであり、基本的に外筒部３と同心の円管部とされている。ただし、図３に示したように、管部８の先端寄り部位９は軸線Ｇ方向から見て、拡径された同心の円１０に対して一部１０ａを割円状に切り欠いた外周面形状をなしており、その外周面に凹設された周溝１１にはリング状水密パッキン（ゴム製Ｏリングパッキン）１３が装着されている。
【００１６】
一方、このような本体２の平行円筒部３ａには、多数の小孔を有する円形の散水板２０を有し、その外周端縁から後方に延びる大径円筒部２０ａを備えた散水体２１が、その大径円筒部２０ａの端部寄り部位を内挿し、水密を保持され、抜け止め状にして回転自在に取付けられている。ここで、水密は、両者間に設けられたリング状水密パッキン２３によって確保されている。そして、抜け止め状にして回転自在の取付けは、大径円筒部２０ａの端部寄り部位の外周面に周方向の周溝２０ｂを切り込む一方、本体２の平行円筒部３ａの周面に穴３ｃを設け、内向きの爪のある止め輪２５を、その爪がその穴３ｃから周溝２０ｂに入り込むようにして外側から嵌着したことによっている。なお、止め輪２５の爪は例えば放射状方向に略等角度で３箇所ある。
【００１７】
そして、散水体２１の内側には、その回転軸を軸線Ｇとして後端側に向って延びる筒状部２７を備えている。筒状部２７は、シャワー散水板２０の中央において、外部に開口する外部開口２８を備えている。散水板２０は、中央が外側に凸となすように膨らんでおり、外部開口２８は、その中央において、円形堰をなすように円形フランジ２８ａが設けられて縮径されている。筒状部２７は、散水板２０寄り部位が小径で平行円筒状をなす小径筒部２７ａをなし、その小径筒部２７ａの端部外周に設けた大径部２９を介して、それより大径で平行円筒状をなす大径筒部２７ｂが回転軸と同心で設けられている。この大径筒部２７ｂの小径筒部２７ａ寄り部位の周面には周面開口３０が数箇所設けられている。そして、大径筒部２７ｂの内周面には雌ネジ（角ねじ）３２が設けられている。なお、大径筒部２７ｂの端面（後端面）は、本体２の後方のフランジ６の外周縁寄り部位に当接状とされており、この大径筒部２７ｂの内部に同心状で管部８が位置するように構成されている。また、本形態では、筒状部２７をなす大径筒部２７ｂと小径筒部２７ａとは、例えば接着（溶着）により一体化されている。
【００１８】
一方、小径筒部２７ａと大径筒部２７ｂとからなる筒状部２７の内側には、先端が閉塞されて筒状をなすスプール４１が次のようにして配置されている。ただし、スプール４１は、本形態では、その先端側が小径で平行円筒状に形成された小径筒部４１ａをなし、それに続く後端側がフランジ４０を介して大径で平行円筒状に形成された大径筒部４１ｂをなしている。そして、大径筒部４１ｂの後端寄り部の外周面には雄ネジ４２が形成されており、前記雌ネジ３２に噛合わされてネジ対偶をなしている。ただし、本形態では、スプール４１が最大限後端に位置しているとき（図１参照）に、大径筒部４１ｂの後端が本体２における後方のフランジ６に略当接するようにされているが、この位置から、スプール４１を最大限先端に位置させ得るように、雄ネジ４２は２山程度設けられているだけである。なお、ネジは多条ねじとされている。
【００１９】
そして、スプール４１の大径筒部４１ｂの内周面は、軸線Ｇ方向から見たとき、上記した本体２の管部８の先端寄り部位９と略同じ形状、大きさとされている。ただし、大径筒部４１ｂの内周面は、管部８の先端寄り部位９に外嵌され、相対的に軸線方向にスライドできるようにやや大きめとされている。すなわち、大径筒部４１ｂの内周面は、管部８の先端寄り部位９と同様に、円４３の一部４３ａが直線でカットされた形状をなしており、ここに上記した本体２の管部８の先端寄り部位９が入り込み、スプール４１は、軸線Ｇ方向にスライドはできるが、軸線Ｇ回りに回転できないように形成されている。なお、大径筒部４１ｂの内周面は軸線Ｇ方向に平行な同一断面の空孔とされている。こうして、本体２に対するスプール４１の回転が防止されているため、本体２に対して散水体２１を回転させることによって、これとネジ対偶をなすスプール４１をその回転軸方向に前進又は後退させる際に必要なスプール進退用回転防止手段をなしている。なお、管部８の先端寄り部位９の外周面に凹設された周溝１１に装着されたリング状水密パッキン１３により、管部８内からスプール４１内に供給される水が、そのパッキン１３を超えて後方に漏れ出ないように、その間の水密が保持されている。
【００２０】
なお、スプール４１の小径筒部４１ａの先端は先細りテーパーとされ、さらにその先端には軸線Ｇ方向に同軸で延びる軸部４５を備えており、軸部４５の先端には円形のフランジ４６を備えている。ただし、この円形のフランジ４６の外径は、前記した外部開口２８における円形堰２８ａの内径より小径とされている。また、スプール４１の小径筒部４１ａの外径は、散水体２１をなす筒状部２７のうちの小径筒部２７ａの内径より小径とされ、軸線Ｇ方向へのスライドができるようにされている。なお、小径筒部４１ａの周面には、周面開口４７が設けられており、スプール４１内に供給された水が外に出られるように形成されている。ただし、本形態では、スプール４１が最大限後端に位置しているとき（図１参照）に、スプール４１内に送られた水が、この周面開口４７から筒状部２７の周面開口３０を通って散水体２１の大径円筒部２０ａ内側に至り、散水板２０の通水孔を通して外部に散水されるように設定されている。図中の破線矢印は水の動きを示している。そして、この通水流路がスプール４１内に供給された水をシャワー散水板２０から外部に散水するための第１流路をなしている。なお、このとき、散水体２１の筒状部２７をなす小径筒部２７ａの内周面と、スプール４１の小径筒部４１ａの外周面との間の水密を保持するため、散水体２１の筒状部２７をなす小径筒部２７ａの内周面に、本形態では２つのリング状水密パッキン４８、４９が並んで配置されている。なお、スプール４１が最大限後端に位置しているときにおいて、管部８の先端面にスプール４１の大径筒部４１ｂの先端のフランジ４０面が当接するように設定されている。
【００２１】
そして、図１の状態において、本体２に対して散水体２１を回転させることによって、スプール４１を中間位置まで前進させ、その周面開口４７が、並んで配置されている２つのリング状水密パッキン４８、４９に跨がれた位置にくるようにする（図４参照）。すると、スプール４１内に送られた水は出口がなくなるため、止水（散水停止）状態となる。本形態ではこのように設定されている。なお、本体２に対して散水体２１を回転させると、例えば右ねじの時は、先端面側から見て右に回転させることで、スプール４１は、上記したスプール進退用回転防止手段により、回転することなく前進する。
【００２２】
さらに、本体２に対して散水体２１を回転させることによって、スプール４１を前進させ、その周面開口４７が、並んで配置されている２つのリング状水密パッキン４８、４９より先端側に位置するまで移動する（図５参照）。ただし図５は、最大限前進させた状態を示している。これにより、本形態では軸部４５は、円形堰２８ａの内側に位置し、先端のフランジ４６は円形堰２８ａより先端に位置するように設定されている。しかして、このときは、スプール４１内に送られた水がその周面開口４７から出て、筒状部２７の内側とスプール４１の外周面との間を通り、外部開口２８から散水される。これがスプール４１内に供給された水がシャワー散水板２０の外部開口２８から外部に散水されるときであり、第２流路をなしている。本形態では、このように、第１流路と、第２流路とに切替えられる散水流路切替え機構を有している。なお、スプール４１を最大限前進させた際には、例えば拡散状の散水が得られるように設定されている。そして、この位置から、スプール４１を後退させれば、これとは逆に、第２流路から第１流路に切替えられる。
【００２３】
なお、本体２の後端部の把持部接続用の接続筒部５は、前記もしたように、本形態ではその内周面にネジ５ａが形成されている。これにより、適宜の形状の把持部がねじ込み方式で接続或いは固着されるように構成されている。ただし、本形態では、把持部５３は、把持部本体５３ａの内部空所に、給水流路管５１、開閉弁５２、及び給水流路管５１に連なる流路管５１ｂを備えており、先端には、この流路管５１ｂに連なる円筒部５４を備えており、円筒部５４の外周面に、本体２の接続筒部５のネジ５ａに螺合するネジ５４ａを備えている。把持部５３は、把持部本体５３ａと円筒部５４等から組立てられている。そして、このネジ５４ａを介してねじ込み方式により、本体２の接続筒部５にねじ込むことで接続、固定されている。こうして、その把持部５３における給水流路の入口に適宜のホースを接続して給水し、本体２の管部８を介して、スプール４１内に水を供給するように形成されている。なお、散水体２１の外周面には、ゴムなどからなる保護カバー６０が付着されている。
【００２４】
しかして、このような本形態の散水用ノズル１では、本体２に対して散水体２１を回転させることによってスプール４１をその回転軸方向に前進又は後退させるために設けられたスプール進退用回転防止手段が、スプール４１の後端寄り部位（大径筒部４１ｂ）の内周面の内側において構成されている。このため、従来のようにスプール進退用回転防止手段が、スプール４１の後端寄り部位に続けて、それより後方において設けられていたスプライン機構のものに比べると、散水用ノズルの回転軸方向における長さを短くできるという効果がある。かくして、散水用ノズル１をなす本体２の後端に、様々な形態の把持部を取付け、固定することで、種々の散水用ノズルを容易に具体化できる。
【００２５】
前記形態では、スプール進退用回転防止手段をなす、スプール４１の後端寄り部位の内周面を、回転軸方向から見て、回転軸と同心の円４３に対して一部４３ａを割円状に切り欠いた内周面形状に形成したため、形状の複雑化を招くことなく、しかも安定したスプール進退用回転防止手段となすことができる。さらに、管部の先端寄り部位の外周面に設けた周溝にパッキンを介在させることで、水密の保持も容易にできる。ただし、本発明では、スプール進退用回転防止手段をなす、スプールの後端寄り部位の内周面の形状はこれに限定されるものではない。同内周面は、回転軸方向から見て、回転軸と同心の円をなさない内周面形状に形成されていればよいためである。したがって、例えば、スプールの後端寄り部位の内周面は、回転軸方向から見たときは円であっても、回転軸と同心の円でなく、中心が回転軸から偏在しているものとすることもできる。さらに、スプール進退用回転防止手段をなす、スプールの後端寄り部位の内周面を、回転軸方向から見て、長円としてもよいし、矩形、正方形などの多角形としてもよい。
【００２６】
また、前記形態ではスプールの後端寄り部位を、その先端寄り部位をなす小径筒部より大径の大径筒部としたため、前記管部の外径を大きく保持できる。このため、流路断面積を阻害することもない。したがって、安定した供給水量を確保できる。
【００２７】
本発明は、上記した実施の形態のものに限定されるものではなく、本発明の要旨を逸脱しない範囲において、適宜に設計変更して具体化できる。その一例を図６及び図７に基づいて説明する。ただし、上記の形態のものと本質的相違はないことから、同一の部位には同一の符号を付し、相違点のみ説明する。すなわち、上記の形態では、スプール４１内に水を供給する管部８を、本体２と一体で、先端側に向って突出状に設けたが、本例では、把持部５３をなす、その内部の流路５１ｂに連なる、先端の円筒部５４の先端に管部８を一体で設けておき、円筒部５４を本体２の接続用筒部５内にねじ込み方式により組付けることで、先端側に向って突出状に設けたものである。
【００２８】
すなわち、図７に示したように、本体２を、前記形態における本体２における接続用筒部５の先端に連なるフランジ６をその内径Ｄ６が、パッキン１３付き管部８が内挿可能の大きさに形成しておく。一方、円筒部５４をねじ込んだ際に管部８の軸線Ｇがスプール４１の軸線に一致するように、その管部８を円筒部５４の先端に一体的に設けたものである。しかして、把持部５３を本体２にねじ込み方式により固定することで、管部８を本体２に、先端側に向って突出状に設けたものである。これにより、本体２の構造の単純化が図られる。なお、図６、７は、スプール４１を先端側に前進させた状態を示している。このように、本発明において管部８は、前記もしたが、本体２と一体でなくともよい。また、図６に示したように、把持部５３側に設けた場合において、本体２に固定する手段をねじ込みとしたが、これに限定されるものではない。本体２に、圧入、嵌合、或いは接着など、適度の固定強度で設けることができればよく、その固定手段は限定されるものではない。
【００２９】
なお、本発明は、次の形態のものとしてもよい。請求項１、２又は３のいずれかに記載の散水用ノズルにおいて、前記管部の後端の外周面に、前記スプールを後退させた際の過後退を止める後退ストッパーを設け、前記筒状部の内周面には、前記スプールを前進させた際の過前進を止める前進ストッパーを備えていることを特徴とするものである。このようにしておくことで、スプールの前進、後退の各終端を構成できるため、誤操作（過回転）防止に効果的である。
【００３０】
【発明の効果】
以上の説明から明らかなように、本発明によれば次のような効果がある。すなわち、スプール進退用回転防止手段は、従来はスプールの後端寄り部位に続けてそれより後方において設けられていたスプライン機構のため、その機構分、散水用ノズルの全長が回転軸方向に長くなるといった問題があったが、本発明においては、そのスプール進退用回転防止手段をスプールの後端寄り部位の内周面に設けている。このため、散水用ノズルの回転軸方向における長さを従来のものより短くできる。これにより、散水用ノズルをなす本体の後端に様々な形態の把持部を取付け、或いは固定して、種種の散水用ノズルとして具体化できる。
【図面の簡単な説明】
【図１】本発明の散水用ノズルの実施の形態を示す正面断面図。
【図２】図１のＹ部拡大図。
【図３】図２のＡ−Ａ線断面図。
【図４】図１においてスプールを中間位置まで前進させたときの正面断面図。
【図５】図１においてスプールを最大限前進させたときの正面断面図。
【図６】本発明の散水用ノズルの別の実施の形態を示す正面断面図。
【図７】図６の実施の形態において本体側に把持部を組付ける前の一部省略正面断面図。
【符号の説明】
１　散水用ノズル
２　本体
８　スプール内に水を供給する管部
２０　シャワー散水板
２１　散水体
２７　筒状部
２８　シャワー散水板の外部開口
４１　スプール
４１ｂ　スプールの後端寄り部位（大径筒部）
４３　スプールの後端寄り部位の内周面をなす円
Ｇ　散水体の回転軸（軸線）
【図１】
2004081974.tif 000003
【図２】
2004081974.tif 000004
【図３】
2004081974.tif 000005
【図４】
2004081974.tif 000006
【図５】
2004081974.tif 000007
【図６】
2004081974.tif 000008
【図７】
2004081974.tif 000009